(57)【特許請求の範囲】
【請求項１】
かみそりであって、ハンドルと、
前記ハンドルに取り付けられたカートリッジであって、該カートリッジが、ガード、キャップ、及び前記ガードと前記キャップとの間に配置された１つ以上のブレードを含み、前記ガードが前記１つ以上のブレードの前方に位置決めされ、前記キャップが前記１つ以上のブレードの後方に位置決めされ、前記カートリッジ、前記ガード、及び前記キャップが皮膚に接触する面及び反対側の底面をそれぞれ有する、カートリッジと、
前記カートリッジ内に位置決めされた放熱ストリップであって、該放熱ストリップが、皮膚に接触する面及び該皮膚に接触する面と反対側の第２の表面を含む、放熱ストリップと、
加熱エレメントであって、該加熱エレメントが、前記放熱ストリップの前記第２の表面の下に位置決めされ、前記加熱エレメントが、第１の表面及び反対側の第２の表面を有する抵抗部材と、第１の表面及び反対側の第２の表面を有する絶縁性部材と、を含み、前記絶縁性部材の前記第１の表面が、前記放熱ストリップの前記第２の表面に接合され、前記絶縁性部材の前記第２の表面が、前記抵抗部材の前記第１の表面に接合される、加熱エレメントと、
前記加熱エレメントにエネルギーを供給して前記加熱エレメントを加熱するように構成された電気回路であって、前記加熱エレメントが前記放熱ストリップに熱を供給する、電気回路と、を含み、
前記絶縁性部材が、前記放熱ストリップから前記抵抗部材を電気的に分離する、かみそり。
【請求項２】
前記電気回路の少なくとも一部分が、前記カートリッジ内に配置される、請求項１に記載のかみそり。
【請求項３】
前記加熱エレメントが、前記放熱ストリップを約３０℃〜７０℃の表面温度に加熱するように構成された、請求項１又は２に記載のかみそり。
【請求項４】
前記放熱ストリップが金属ストリップを含む、請求項１〜３のいずれか一項に記載のかみそり。
【請求項５】
前記金属ストリップが、アルミニウム、銅、金、スチール、真鍮、ニッケル、及びこれらの合金からなる群から選択される、請求項４に記載のかみそり。
【請求項６】
前記放熱ストリップの前記皮膚に接触する面が、前記カートリッジの前記皮膚に接触する面に実質的に隣接する、請求項１〜５のいずれか一項に記載のかみそり。
【請求項７】
前記電気回路と電気的に接続している電源を更に含む、請求項１〜６のいずれか一項に記載のかみそり。
【請求項８】
第２の絶縁性部材を更に含み、該第２の絶縁性部材が、第１の表面及び反対側の第２の表面を有し、
前記第２の絶縁性部材の前記第１の表面が、前記抵抗部材の前記第２の表面に接合される、請求項１に記載のかみそり。
【請求項９】
前記抵抗部材が、第１の末端部及び反対側の第２の末端部を有し、前記第１の末端部及び前記第２の末端部のそれぞれに電気接点部が設けられている、請求項１に記載のかみそり。
【請求項１０】
前記電気接点部が、銀、アルミウム、銅、金、スチール、真鍮、ニッケル、及びこれらの合金からなる群から選択される、請求項９に記載のかみそり。
【請求項１１】
前記電源が入っているか、又は切れているかを示す視覚表示を提供するように構築された、前記かみそりの、ユーザーにとって可視のインジケータを更に含む、請求項１〜１０のいずれか一項に記載のかみそり。
【請求項１２】
前記放熱ストリップが暖かいか否かを示す視覚表示を提供するように構築された、前記かみそりの、ユーザーにとって可視のインジケータを更に含む、請求項１〜１１のいずれか一項に記載のかみそり。
【請求項１３】
前記放熱ストリップが、前記ガード又は前記キャップ内に位置決めされた、請求項１〜１２のいずれか一項に記載のかみそり。
【請求項１４】
温度調節のための制御回路を更に含む、請求項１〜１３のいずれか一項に記載のかみそり。
【発明の詳細な説明】
【技術分野】
【０００１】
本発明は、シェービング用かみそり及びかみそりカートリッジに関するものであり、より詳しくは、湿式シェービング用の加熱されたかみそりに関する。
【背景技術】
【０００２】
湿式シェービング用かみそりのユーザーは一般に、シェービング中に自らの皮膚に接したときに、暖かさを感じることを高く評価する。暖かさは心地良く、より快適なシェービングという結果をもたらす。
【０００３】
シェービング中に暖かさを感じさせるために種々の試みがなされてきた。例えば、シェービングクリームは、シェービング缶から放出されると発熱反応をするように配合されており、その結果、シェービングクリームが、皮膚に暖かさを与える。また、かみそりヘッドは、電池などの電力源により供給される電力による温風、加熱エレメント、及び線走査レーザービームを使用して、加熱されてきた。
【発明の概要】
【発明が解決しようとする課題】
【０００４】
かみそりカートリッジ内のかみそりブレードもまた、加熱されている。加熱されたブレードに伴う欠点は、それらが、ユーザーの皮膚と接触する最小の表面積を有するということである。この最小の皮膚に接触する面積は、シェービング中にユーザーの皮膚を加熱するには、比較的効率の悪いメカニズムをもたらす。
【０００５】
シェービング中に、ユーザーに改善された加熱能力を供給することのできるかみそりを提供する必要がある。
【課題を解決するための手段】
【０００６】
本発明は、ハンドルと、このハンドル上に取り付けられたカートリッジを含むかみそりを特徴とする。このカートリッジは、ガード、キャップ、及びガードとキャップとの間に配置された１つ以上のブレードを含む。ガードは１つ以上のブレードの前方に位置決めされる。キャップは１つ以上のブレードの後方に位置決めされる。カートリッジ、ガード、及びキャップはそれぞれ皮膚に接触する面及び反対側の底面を有する。
【０００７】
放熱ストリップは、カートリッジ内に位置決めされる。放熱ストリップは、ガード、キャップ、又は両方内に配置されてもよい。放熱ストリップは皮膚に接触する面及びこの皮膚に接触する面と反対側の第２の表面を含む。
【０００８】
かみそりは、放熱ストリップの第２の表面の下に位置決めされた加熱エレメントを含む。好ましくは加熱エレメントは、カートリッジのガード又はキャップの底面の上に位置決めされる。加熱エレメントは、第１の表面及び反対側の第２の表面を有する抵抗部材と、第１の表面及び反対側の第２の表面を有する絶縁性部材と、を含む。絶縁性部材の第１の表面は、放熱ストリップの第２の表面に接合される。絶縁性部材の第２の表面は、抵抗部材の第１の表面に接合される。
【０００９】
かみそりは、抵抗部材にエネルギーを供給して加熱エレメントの抵抗部材を加熱するように構成された電気回路を含む。加熱エレメントの抵抗部材は、放熱ストリップに熱を供給する。
【００１０】
電気回路の少なくとも一部は、カートリッジ内に配置されてもよい。
【００１１】
抵抗部材は放熱ストリップを、約３０℃〜７０℃の表面温度に加熱するように構成されることが好ましい。好ましくは、放熱ストリップは金属ストリップを含む。金属ストリップは、アルミニウム、銅、金、スチール、真鍮、ニッケル、及びこれらの合金からなる群から選択されてもよい。
【００１２】
好ましくは、放熱ストリップの皮膚に接触する面は、カートリッジの皮膚に接触する面に実質的に隣接して位置決めされる。
【００１３】
電源はデッキ回路と電気的に接続している。電源は好ましくは電池を含む。好ましくは、電池はハンドル内に配置される。電池は、使い捨てであっても、又は再充電可能であってもよい。
【００１４】
かみそりは、再充電ステーションに電気的に接続して取り付けられるように構成されてもよい。
【００１５】
かみそりは、第２の絶縁性部材を含んでもよい。第２の絶縁性部材は、第１の表面及び反対側の第２の表面を有する。第２の絶縁性部材の第１の表面は、抵抗部材の第２の表面に接合される。
【００１６】
抵抗部材は、第１の末端部及び反対側の第２の末端部を有し、第１の末端部及び第２の末端部のそれぞれに電気接点部が設けられている。好ましくは、電気接点部は、銀、アルミニウム、銅、金、スチール、真鍮、ニッケル、及びこれらの合金からなる群から選択される。
【００１７】
かみそりは、電源が入っているか、又は切れているかを示す視覚表示を提供するように構成された、かみそりの、ユーザーにとって可視のインジケータを含んでもよい。
【００１８】
かみそりは、放熱ストリップが暖かいか、又は熱が充満されているかを示す視覚表示を提供するように構成された、かみそりの、ユーザーにとって可視のインジケータを含んでもよい。
【００１９】
カートリッジは、ハンドルから分離可能であってもよい。カートリッジは、ハンドル上に枢動可能に取り付けられてもよい。
【００２０】
かみそりは、温度調節のための制御回路を含んでもよい。かみそりは、制御回路と通信するセンサー（例えば温度、圧力、抵抗力、容量型、光学）を含んでもよい。
【００２１】
用語「かみそり」は、本明細書で使用する時、別の方法で示されない限り、ハンドル及び交換可能なカートリッジが含まれるかみそりと、かみそりカートリッジがハンドル上に固定して取り付けられた使い捨てかみそりの両方を指す。
【００２２】
本発明の１つ以上の実施形態の詳細を添付図面及び以下の説明に示す。本発明の他の特徴及び利点は、説明及び図面、並びに特許請求の範囲から明らかになる。
【図面の簡単な説明】
【００２３】
本明細書は、本発明とみなされる主題を特定して指摘し明確に請求する特許請求の範囲をもって結論とするが、本発明は、添付の図面と関連させた次の説明から更によく理解されると考えられる。
【図１】本発明のかみそりの斜視図。
【図２】図１のかみそりカートリッジの平面図。
【図３】図１のかみそりカートリッジの底面図。
【図４】図２のかみそりカートリッジの第２の線３−３に沿った断面図。
【図５】図１のかみそりの概略正面図。
【図６】本発明のハンドルの別のカートリッジ及び上部の分解組立て図。
【図７】本発明の別のカートリッジの前側平面図。
【図８】本発明の別のカートリッジの前側の平面図。
【図９】制御回路を含む、別の実施形態によるかみそりの概略図。
【図１０】本発明の別のかみそりの斜視図。
【図１１】本発明の代替加熱エレメントの斜視図。
【発明を実施するための形態】
【００２４】
図１〜５を参照して、かみそり１０は、ハンドル１４と、ハンドル１４上に取り付けられたかみそりカートリッジ１５と、を含む。かみそりカートリッジ１５は、ガード１８、キャップ２４、及びガード１８とキャップ２４との間に位置する１つ以上のブレード３０を含む。カートリッジ１５は、上面若しくは皮膚に接触する面１６並びに反対側の下面若しくは底面１７を含む。ガード１８は、１つ以上のブレード３０の前方に位置決めされる。キャップ２４は、１つ以上のブレード３０の後方に位置決めされている。ガード１８は、上面若しくは皮膚に接触する面１９並びに反対側の下面若しくは底面２０を有する。キャップ２４は、上面若しくは皮膚に接触する面２５並びに反対側の下面若しくは底面２６を有する。ガード及びキャップの上面１９若しくは皮膚に接触する面２５はそれぞれ、並びに、ガード及びキャップの、反対側の下面２０又は底面２６はそれぞれ、カートリッジ１５の上面若しくは皮膚に接触する面１６及び下面若しくは底面１７を形成する。
【００２５】
ガード１８は、複数のフィンを含んで、ユーザーの皮膚に嵌合して、これを伸張させてもよい。例えば、米国特許第５，１９１，７１２号に記載され、参照により本明細書に組み込まれる、他の、皮膚に嵌合する突出部を使用することができる。ガード１８は、エラストマー材で形成されてもよく、又はカートリッジ１５の他の部分と同じ材料で形成されてもよい。フィンは、毛を次第に持ち上げてより綿密でより快適なシェービングのために、ブレード３０に向かって漸増的に高くなっていることが好ましい。
【００２６】
かみそりカートリッジ１５は、カートリッジの性能を向上させる又はその寿命を伸ばす、他の構成要素も含んでもよい。例えば米国特許第５，１１３，５８５号及び第５，４５４，１６４号に記載されているように、ユーザーの皮膚に潤滑性物質を提供するために、シェービング補助合成物が、カートリッジ１５の上縁部に設けられてもよく、その開示内容を参考として本明細書に組み入れる。
【００２７】
カートリッジ１５は、相互連結部材３５によって、ハンドル１４上に取り外し可能に取り付けられる。カートリッジ１５は、ハンドル１４に対して枢動可能に又は固定的に（非枢動可能に）取り付けられてもよい。
【００２８】
放熱ストリップ４０は、ガード１８内に位置決めされる。放熱ストリップ４０は、上面若しくは皮膚に接触する面４１、並びにこの皮膚に接触する面４１表面と反対側の下面若しくは第２の表面４２を含む。放熱ストリップ４０の皮膚に接触する面４１は、カートリッジ１５の皮膚に接触する面１６及びガード１８の皮膚に接触する面１９に実質的に隣接して位置決めされ、示される。すなわち、放熱ストリップ４０の皮膚に接触する面４１、カートリッジ１５の皮膚に接触する面１６、及びガード１８の皮膚に接触する面１９は全て、シェービング中にユーザーの皮膚によって接触され得る。放熱ストリップの皮膚に接触する面４１は、カートリッジ１５の皮膚に接触する面１６の上若しくは下並びにガード１８の皮膚に接触する面１９の上若しくは下に位置決めされてもよい。
【００２９】
加熱エレメント４５は、放熱ストリップ４０の第２の表面４２の下、カートリッジ１５の下面１７の上、及びガード１８の下面２０の上に位置決めされる。加熱エレメント４５は、抵抗部材４６と、絶縁性部材５０と、を含む。抵抗部材４６は、第１の表面４７及び反対側の第２の表面４８を有する。絶縁性部材５０は、第１の表面５１及び反対側の第２の表面５２を有する。絶縁性部材５０の第１の表面５１は、放熱ストリップ４０の第２の表面４２に接合される。絶縁性部材５０の第２の表面５２は、抵抗部材４６の第１の表面４７に接合される。
【００３０】
加熱エレメント４５は、第２の絶縁性部材５４を含む。第２の絶縁性部材５４は、第１の表面５５及び反対側の第２の表面５６を有する。第２の絶縁性部材５４の第１の表面５５は、抵抗部材４６の第２の表面４８に接合される。第２の絶縁性部材５４は、カートリッジの底面１７の上に及びガード１８の底面２０の上に位置決めされることが好ましい。
【００３１】
抵抗部材４６は、第１の末端部６０及び対向する第２の末端部６１を有する。電気接点部６２及び電気接点部６３は、抵抗部材４６の各末端部６０、６１で提供される。電気接点部６２及び電気接点部６３は銀を含んでもよい。他の導電性材料、例えば、アルミニウム、銅、金、スチール、真鍮、ニッケル、及びこれらの合金は、電気接点部６２及び電気接点部６３に使用されてもよい。電流リード６４及び６５は、電気接点部６２及び電気接点部６３にそれぞれ固定されて、エネルギーを抵抗部材４６に供給して抵抗部材４６を加熱するように構成される電気回路の一部を形成する。電流リード６４及び電流リード６５はカートリッジ１５内に位置決めされる。加熱エレメント４５の抵抗部材４６は、熱を放熱ストリップ４０に供給して、これは放熱ストリップ４０の上面又は皮膚に接触する面４１の上で消散し、シェービング中にユーザーの皮膚に暖かさを提供する。
【００３２】
図５を参照すると、かみそり１０は電気回路７０を含み、これは電流が、コンタクト７３を介して１つ以上の電池７２などの電源７１によって供給される。電池７２は、ハンドル１４内に位置決めされる。電池７２は、使い捨て又は再充電可能のいずれかであってもよい。電気回路７０は、スイッチ７４によって閉じられ、これはボタン７５を押すことによってユーザーにより起動されてもよい。スイッチ／ボタンは、図示される実施形態においては、かみそりハンドル１４の側面上に有るが、それらは他の場所に、例えばハンドルの下面に位置決めされてもよい。ＬＥＤ  ７６は、ハンドル１４に提供され、電力が入れられているか、又は停止されているかをユーザーに示す。ＬＥＤは、カートリッジ１５の透明区域に配置されてもよく、又はカートリッジ１５の不透明区域における開口部を貫通して延びることも可能である。ＬＥＤは、図５に示される以外のかみそりの区域に配置してもよく、又は省略してもよい。ＬＥＤは放熱ストリップが暖かいか、暖まりつつあるか、放熱ストリップが熱すぎるかどうか、及びかみそりの他の特性を示すことができる。
【００３３】
放熱ストリップ４０は、放熱において効率的な任意の材料で構成されてもよい。放熱ストリップに好適な材料は、アルミニウム、銅、金、スチール、真鍮、ニッケル、及び好ましい金属であるアルミニウムとこれらの合金である。列挙された金属と類似した放熱特性を有する他の材料もまた、使用されてもよい。
【００３４】
放熱ストリップ４０は、それがシェービング中にユーザーの皮膚と直接接触することがあるため、改善されたユーザー経験を提供するためにコーティングされるか、又は非平坦化されてもよい。例えば、放熱ストリップ４０は、小さな突出部若しくはバンプで非平坦化されてもよく、並びにポリフルオロカーボンなどのポリマー組成物でコーティングされてもよい。
【００３５】
絶縁性部材５０は、ガラス、ガラス−セラミック、セラミック、オキシド、又は他の誘電体材料で構成されてもよい。
【００３６】
抵抗部材４６は、導電性粉末で充填されたゾル−ゲル溶液で構成されてもよい。コーティングは、均一で安定した分散をもたらすために、ゾル−ゲル溶液を約９０重量％までの導電性粉末の溶液と混合することによって形成することができる。好適な抵抗部材は国際公開第０２／０７２４９５（Ａ２）号に開示されている。
【００３７】
抵抗部材はまた、ニッケル、クロム、金、スチール、及び他の材料から構成されてもよい。
【００３８】
抵抗部材は好ましくは、約０．１Ω〜約１００Ω、より好ましくは約０．５Ω〜約２０Ω、最も好ましくは２Ωの抵抗を有する。
【００３９】
第２の絶縁性部材５４は、ガラス、ガラス−セラミック、セラミック、オキシド、又は他の誘電体材料で構成されてもよい。
【００４０】
抵抗部材は、ゾル−ゲルプロセス、噴霧、浸漬、回転、刷毛塗り、印刷、スパッタリング、接着、又は他の好適な技法によって絶縁性部材に接合することができる。
【００４１】
好ましくは、抵抗部材４６は、放熱ストリップ４０を約３０℃〜約７０℃の表面温度に熱するために十分に熱くなる。
【００４２】
図１に示される実施形態では、カートリッジ１５が、ハンドル１４上に固定的に（非枢動可能に）取り付けられる。
【００４３】
ここで図６を参照すると、電流は、ハンドル１４上の噛み合い接点１５０とカートリッジ１５上の噛み合い接点１５２との係合によって、ハンドル１４とカートリッジ１５との間を伝達する。これらの接点は、ハンドル１４の遠位端１５３と、図６に示されるように相互連結部材３５及びカートリッジ１５の交点と、にあってもよく、又は相互連結部材３５のリム１５４に近づいて存在してもよい。接点１５０はバネ仕掛けであり、すなわち、バネ１５６によってカートリッジ１５の方へ付勢される。ハンドルをカートリッジに対して滑り係合可能にするために、ハンドル１４の遠位端１５３が、ほぼ円錐台形状の部分１５８を含んでもよく、カートリッジ１５が、対応する円錐台の穴１６０を含んでもよい。
【００４４】
図６に示される実施形態では、カートリッジ１５が、ハンドル１４上に枢動可能に取り付けられる。旋回している間、カートリッジ１５とハンドル１４との間の電気的接続は維持される。リード１６２は、接点１５２から延びて、放熱ストリップ４０の下に位置決めされた加熱エレメント４５と接続する。枢動する電気的接続を維持する好適な方法は、米国特許公開第２００６／００７４２４２号に開示され、これは参照により本明細書に組み込まれる。
【００４５】
あるいは、図７に示されるように、リード１７２を有するフレキシブル回路基板１７０は、ハンドル上に枢動可能に取り付けられるカートリッジ１５のための電気的接続を提供してもよい。フレキシブル回路基板１７０は、相互連結部材３５からカートリッジ１５内へ延び、放熱ストリップ４０の下に位置決めされる加熱エレメント４５と接続する。
【００４６】
別の代替実施形態では、カートリッジは、別個の相互連結部材を設けるよりも、ハンドルに一体接合される。例えば、カートリッジはハンドルに直接接合して、回路がハンドルからカートリッジに連続してことができるようにしてもよい。
【００４７】
回路は、いかなる所望の方法にて、例えば、カートリッジ及びハンドルのプラスチックに挿入成形された電線の使用によって、又はカートリッジ及びハンドルのプラスチックと共成形された導電性ポリマーにより画定された導電路によって、設けられてもよい。好適な導電性ポリマーとして、カーボン及びグラファイトが充填されたポリマーが挙げられる。
【００４８】
あるいは、回路はポリマー部材の上に電気配線を印刷することによって提供されてもよい。印刷された電気配線は次いで、印刷、成形、又は他の技法によって更なる材料で被覆されてもよい。
【００４９】
かみそりが暖まりつつある若しくは熱くなりつつあるか、かみそりが暖かなっている若しくは加熱されて使用できる状態か、電源が充電しつつある、電源が充電された状態であるか、並びにかみそりは安全に使用するには熱すぎるか、の視覚表示をユーザーに提供するインジケータを含むことは望ましい。インジケータはＬＥＤ、例えば図５に示されるＬＥＤ  ７６、熱変色物質（thermocromic material）、又は他のタイプのインジケータであってもよい。
【００５０】
インジケータは、かみそりが暖まりつつある時は、赤色の点滅であってもよい。インジケータは、かみそりが暖まった時は、赤色の点灯であってもよい。インジケータは、電源が充電しつつある時は、緑色の点滅であってもよい。インジケータは、電源が充電された時は、緑色の点灯であってもよい。インジケータは、かみそりが安全に使用するには熱すぎる時には、白色であってもよい。
【００５１】
言及したように、インジケータは、温度変化に対応して色を変化させる熱変色物質を含んでもよい。インジケータには、異なる温度で色が変化する２つ以上の異なる熱変色物質が含まれてもよい。例えば、インジケータには、放熱ストリップが室温である時に青色に変化する第１の熱変色物質と、放熱ストリップが所望の温度範囲内である時に緑色に変化する第２の熱変色物質と、放熱ストリップが所望の温度範囲より上である時に橙色に変化する第３熱変色物質と、を含むことも可能である。熱変色物質の多数の他の組合せを使用してもよい。熱変色物質は、所望の色を得るために、非熱変色性の染料及び／又は顔料と組み合わせることも可能である。
【００５２】
インジケータは、図８に示されるように、放熱ストリップ４０に隣接したかみそりカートリッジ１５上に取り付けられている又はこれに成形されるストリップ１８０の形態であってもよい。この場合、異なる熱変色物質を、ストリップに沿って間隔を置いて配置してもよい。インジケータは、その代わりに、いかなる所望の形状の分離性パッド又は区域の形体であってもよい。あるいは、インジケータは、出現及び消滅する文字又は他のしるし、例えば「熱」及び「冷」の形体であってもよい。しるしは、例えば、熱変色物質を含むしるしを形成することによって、又は、予め定められた温度で半透明になる熱変色コーティングにより覆い隠された非熱変色性のしるしを形成することによって、提供してもよい。
【００５３】
別の実施例では、熱変色物質を、かみそりカートリッジのプラスチックと化合してもよい。熱変色物質は、カートリッジ上にコーティングされてもよい。
【００５４】
熱変色インジケータは読み易く簡単であるという観点から望ましいものであるが、様々な形状の液体充填温度計又は化合物バー型ダイアル温度計などの、他のインジケータを使用してもよい。
【００５５】
更に、いくつかの実施形態では、温度調節用の制御回路を、かみそりが有することが望ましいこともある。そのようなかみそり３００の例が、図９に示される。制御回路３０２が、温度センサー３０４の手段により温度を制御するように構成されている。温度センサー３０４は、放熱ストリップ上に直接配置されてもよい。あるいは、温度センサー３０４は放熱ストリップに隣接して位置決めされてもよい。
【００５６】
ユーザーが手動で温度を調節できるようにするために、ダイアル又は他の制御機構（図示せず）を設けてもよい。回路はまた、圧力センサー（図示せず）を含んでもよい。この場合、かみそりが皮膚に当てられた時に、回路が、圧力センサーからの信号に応じて、より多くの電力をかみそりに供給し、石鹸、水、及び皮膚に接触することによるヒートシンク効果に打ち勝つ。逆に、圧力が検知されない時、すなわち、かみそりが皮膚に接触していない時、回路は、出力を低減して熱の逃げを防ぐ。このようにして、電力が供給されているがユーザーがシェービングをしない時に、かみそりが低い温度に保持され、その結果、ユーザーが再びシェービングを始める時、かみそり温度は、不快なほどには又は危険であるほどには熱くならない。
【００５７】
あるいは、容量センサーが使用されてもよい。この場合、かみそりが皮膚に当てられた時に、回路が、容量センサーからの信号に応じて、より多くの電力をかみそりに供給し、石鹸、水、及び皮膚に接触することによるヒートシンク効果に打ち勝つ。逆に、容量が検知されない時、すなわち、かみそりが皮膚に接触していない時、回路は、出力を低減して熱の逃げを防ぐ。このようにして、電力が供給されているがユーザーがシェービングをしない時に、かみそりが低い温度に保持され、その結果、ユーザーが再びシェービングを始める時、かみそり温度は、不快なほどには又は危険であるほどには熱くならない。
【００５８】
他のタイプのセンサーもまた使用されてもよい。他のタイプのセンサーの例には、制御回路と併用した圧力、応力、及び光学が挙げられるが、これらに限定されない。
【００５９】
図１０を参照して、かみそり４００は、ハンドル４１４と、ハンドル４１４上に取り付けられたかみそりカートリッジ４１５と、を含む。かみそりカートリッジ４１５は、ガード４１８、キャップ４２４、及びガード４１８とキャップ４２４との間に位置決めされた１つ以上のブレード４３０を含む。放熱ストリップ４４０の位置が異なっていること以外、かみそり４００と、図１に示されるかみそり１０とは類似している。放熱ストリップ４４０はキャップ４２４内に位置決めされる。前述のものに同一である加熱エレメント４４５は、放熱ストリップ４４０の下に位置決めされる。
【００６０】
カートリッジ４１５は、ハンドル４１４上に取り外し可能に又は固定して取り付けられてもよい。カートリッジ４１５は、ハンドル４１４に対して枢動可能に又は固定的に（非枢動可能に）取り付けられてもよい。
【００６１】
あるいは、かみそりカートリッジは、放熱ストリップ、及びキャップとガードの両方において、付随する加熱構成要素を含んでもよい。
【００６２】
図１１を参照すると代替の加熱構成要素４５が示される。加熱エレメント４５は、抵抗部材４６及び絶縁性部材５０を含む。抵抗部材４６は、第１の表面４７及び反対側の第２の表面４８を有する。絶縁性部材５０は、第１の表面５１及び反対側の第２の表面５２を有する。絶縁性部材５０の第２の表面５２は、抵抗部材４６の第１の表面４７に接合される。
【００６３】
抵抗部材４６は、第１の末端部６０及び反対側の第２の末端部６１を有する。電気接点部６２及び６３は、抵抗部材４６の各末端部６０、６１で提供される。抵抗部材は、互いに対向し、隣接する末端部６０及び６１を備える開ループ様の構成を有する。抵抗部材の他の構成が使用されてもよい。
【００６４】
放熱ストリップが導電性材料から構成されるこれらの例では、絶縁性部材は、放熱ストリップから電気的に充電される抵抗部材を分離するのに必要となる。放熱ストリップが導電性材料から構成された場合でさえも、放熱ストリップを介して電気は流れない。放熱ストリップが非導電性である材料から形成された場合、絶縁性部材は、放熱ストリップから抵抗部材を分離するためには必要ではない。
【００６５】
更に加えて、特定のかみそり設計を例として、これまで例示及び説明してきたが、本明細書に記述した機構は、いかなる所望のかみそり設計にも使用可能である。例えば、上述した機構は、男性用及び女性用両方のかみそりに使用可能である。
【００６６】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。
【００６７】
「発明を実施するための形態」で引用した全ての文献は、関連部分において本明細書に参考として組み込まれるが、いずれの文献の引用も、それが本発明に関して先行技術であることを容認するものとして解釈されるべきではない。本書における用語の任意の意味又は定義が、参照として組み込まれた文献における同一の用語の任意の意味又は定義と相反する限りにおいて、本書においてその用語に与えられた意味又は定義が適用されるものとする。
【００６８】
本発明の特定の実施形態について説明し記載したが、本発明の趣旨及び範囲から逸脱することなく他の様々な変更及び修正が可能であることが当業者には自明である。したがって、本発明の範囲内にあるそのような全ての変更及び修正を、添付の「書類名」特許請求の範囲で扱うものとする。
【図１】
0005518862.tif 000002
【図２】
0005518862.tif 000003
【図３】
0005518862.tif 000004
【図４】
0005518862.tif 000005
【図５】
0005518862.tif 000006
【図６】
0005518862.tif 000007
【図７】
0005518862.tif 000008
【図８】
0005518862.tif 000009
【図９】
0005518862.tif 000010
【図１０】
0005518862.tif 000011
【図１１】
0005518862.tif 000012